(57)【要約】【課題】            電子機器等の延長ケーブルの電源プラグを受ける複数の電源接続部を有する電源接続装置の定格容量は、電源コード内の銅線の太さで決まる。しかし、この定格容量を超えた電源接続装置の使用を検知できない。【解決手段】        電源接続装置の本体（１）は、消費電力ユニット（６）を有し、該ユニット（６）が電源プラグ（９）、１５００Ｗ表示（１０）、１０００Ｗ表示（１１）、５００Ｗ表示（１２）を備え、消費電力に応じて各表示の発光ダイオードを点灯させる。定格容量を超える電源接続装置の使用はブザー（１４）により告知する。【選択図】          図１
2005190783.tif 000002
【特許請求の範囲】
【請求項１】
電源プラグを有する電源コード、電源接続部、及び電源接続部に接続された各種電子機器の負荷電流に応じた表示機能を有する消費電力ユニットを備えることを特徴とする電源接続装置。
【請求項２】
前記表示機能として、発光ダイオードを用いたことを特徴とする請求項１記載の電源接続装置。
【請求項３】
定格電力を超えて使用した場合に、ブザーによる警告を発することを特徴とする請求項２記載の電源接続装置。
【請求項４】
消費電力ユニットが発光ダイオード及びブザーを有することを特徴とする請求項１記載の電源接続装置。
【請求項５】
電源接続装置の本体の表面に電源スイッチ、消費電力ユニット及び複数個の電源接続部が設けられている請求項４記載の電源接続装置。
【発明の詳細な説明】
【技術分野】
【０００１】
本発明は、電子機器、たとえば、ＯＡ機器のパソコン、プリンター、モニタテレビ、モデム等の電源プラグ、或いは電気機器、たとえば、ステレオ本体、ＣＤプレーヤー、ＡＣアダプター等の電源プラグを電源に接続するのに好適な電源接続装置に関する。
【背景技術】
【０００２】
一般に、たとえば、電子機器に電源を供給するためには、電子機器の電源プラグを、建屋の壁に設けたコンセントに差し込んでいるが、電子機器等に付属する電源コードは長さが決まっており、電子機器の設置場所からコンセントまで、電源コードが届かないことがある。この場合、いわゆる電源接続部を有した電源接続装置（延長ケーブル）を経由して、各種電子機器に電源の供給を行う。
【０００３】
また、ＯＡ機器等複数の電源供給が必要な場合等は複数個の電源接続部を有した電源接続装置を用い、コンセントに挿し込んだ電源接続装置の電源接続部に各機器の電源プラグを挿し込んで電源供給を行う。
【０００４】
【特許文献１】実開昭５１−３７２９１号
【特許文献２】実開昭５１−５９９２号
【特許文献３】特開昭５４−１５９６８８号
【発明の開示】
【発明が解決しようとする課題】
【０００５】
しかし、このような複数個の電源接続部を有する電源接続装置の定格容量は電源接続装置の電源コード内の銅線の太さにより決定されており、定格容量として、一般的には１２Ａ（アンペア）〜１５Ａ（アンペア）が用いられている。
【０００６】
このため、電源接続装置の電源接続部にプラグを挿し込んで使用する電子機器によっては電源接続装置の定格容量を超えて使用する場合があり、定格容量を超えた場合、電源接続装置の電源コードが発熱したり、最悪の場合、発火して事故に繋がりかねないという不具合がある。
【０００７】
それ故に、本発明は前述した従来技術の不具合を解消させることを解決すべき課題とする。
【課題を解決するための手段】
【０００８】
本発明は、前述した課題を解決するために、電源接続装置の電源接続部にプラグを挿し込んで使用する電子機器の消費電力を電源接続装置本体に表示することにより、電源接続装置に接続されている各種電子機器の消費電力が目安で判断できるようにした技術手段を用いる。
【０００９】
本発明によれば、電源プラグを有する電源コード、電源接続部、及び電源接続部に接続された各種電子機器の負荷電流に応じた表示機能を有する消費電力ユニットを備えることを特徴とする電源接続装置が提供される。
【発明の効果】
【００１０】
本発明の電源接続装置によれば、電源接続装置本体部の電源接続部に接続された各種電子機器の消費電力を表示させることができ、電源接続装置の定格を超えた場合は、表示しまたはブザーにより警報を発するので、定格容量を超えた時に発生する電源コードの発熱や火災事故を未然に防ぐことが可能となる。即ち、各種電子機器の使用者に安心感を与え得る。
【発明を実施するための最良の形態】
【００１１】
図１を参照する。本発明の最良の形態の電源接続装置は合成樹脂製の本体１、本体に接続されかつ建屋の壁に設けたコンセント等に挿し込まれる電源プラグ３を有するコード２、各種電子機器等のプラグが挿し込まれる電源接続部４を有す。
電源コード２は、電源スイッチ５に電気的に接続されており、電源スイッチ５は消費電力ユニット６を経由し接続端子７，８に結線される。
【００１２】
ユニット６は電源ランプ９、１５００Ｗ（ワット）表示１０、１０００Ｗ（ワット）表示１１、５００Ｗ（ワット）表示１２の発光ダイオードを有し、該発光ダイオード１０，１１，１２と電源ランプ９が電源接続装置本体１の表面に配置されており、消費電力ユニット６内部には、電源接続部４に接続された電子機器の消費電力により、前記消費電力ユニット６の表面にあるそれぞれの１５００Ｗ表示１０、１０００Ｗ表示１１、５００Ｗ表示１２の発光ダイオードを点灯させる回路および定格容量を超えた場合に発する警告ブザー１４を有する回路基盤１３が内蔵されている。
【００１３】
本発明の電源接続装置を使用する場合は、電源プラグ３を電源コンセントに挿し込み、電源接続装置本体１にある電源スイッチ５をＯＮにすることにより、電源ランプ９に通電され点灯し、本電源接続装置が使用可能となる。
使用する際は、電源接続部４に各種電子機器の電源プラグを挿し込んで使用するわけであるが、使用する各種電子機器の消費電力を消費電力ユニット６内部の回路基盤１３内の抵抗値により判別し、５００Ｗ以下の消費電力の場合は５００Ｗ表示１２の発光ダイオードを、消費電力が５００Ｗ以上１０００Ｗ未満の場合は１０００Ｗ表示１１の発光ダイオードを、消費電力が１０００Ｗ以上１５００Ｗ未満の場合は１５００Ｗ表示１０の発光ダイオードをそれぞれ点灯させる。
【００１４】
消費電力が定格容量を超える場合には、消費電力ユニット６内部にある回路基盤１３により警告ブザー１４を鳴らすことにより、使用者に対して警告を発する。
【００１５】
本発明の電源接続装置の実施例においては、消費電力の表示手段として、１５００Ｗ表示１０、１０００Ｗ表示１１、５００Ｗ表示１２の発光ダイオードで表示する機能として、また、１５００Ｗを超えた場合の警報手段として、警告ブザー１４を鳴らす例を説明したが、消費電力表示に発光ダイオードやランプなどの色を変えて、たとえば、安全領域は緑色表示、警告領域は赤色表示にするなどの応用可能であることはいうまでもない。
【図面の簡単な説明】
【００１６】
【図１】本発明の電源接続装置の外観を示す図である。
【図２】本発明の電源接続装置の詳細図である。
【図３】本発明の電源接続装置内に有する消費電力ユニット内の回路基盤の回路図である。
【符号の説明】
【００１７】
１    本体
２    電源コード
３    電源プラグ
４    電源接続部
５    電源スイッチ
６    消費電力ユニット
７，８    接続端子
９    電源ランプ
１０    １５００Ｗ表示（発光ダイオード）
１１    １０００Ｗ表示（発光ダイオード）
１２    ５００Ｗ表示（発光ダイオード）
１３    回路基盤
１４    警告ブザー
【図１】
2005190783.tif 000003
【図２】
2005190783.tif 000004
【図３】
2005190783.tif 000005